(57)【要約】【課題】  動画撮影中の静止画撮影の撮影結果である静止画の見辛さ改善し、動画及び静止画の両方を同時に確認可能とする。【解決手段】  ＥＶＦ２０２及び液晶表示パネル２０８を備え、動画撮影及び静止画撮影を同時に実行可能とした映像記録再生装置において、ＥＶＦ２０２には動画４１１が表示され、液晶表示パネル２０８には撮影された静止画４１２が表示面の全面ではなく、ＥＶＦ２０２の動画４１１を避けるようにアスペクト比はそのままにオフセット表示される。これにより、左右の目で見た映像における重なり部分をなくし、動画及び撮影した静止画全体を同時に見ることが可能となる。【選択図】  図４
2007060436.tif 000002
【特許請求の範囲】
【請求項１】
動画撮影及び静止画撮影を同時に実行可能とした映像記録再生装置であって、
第１の表示手段と、
前記第１の表示手段よりも視野方向で奥側に表示面が位置する第２の表示手段と、
静止画撮影を行うタイミングを指示する入力手段と、
前記第１の表示手段に動画を表示する手段と、
前記第１の表示手段による動画表示を止めることなく、前記入力手段により静止画撮影が指示されたとき、前記第２の表示手段に該撮影した静止画を表示する手段と、
前記第２の表示手段による静止画をオフセット表示するオフセット表示手段とを備えることを特徴とする映像記録再生装置。
【請求項２】
動画撮影及び静止画撮影を同時に実行可能とした映像記録再生装置であって、
第１の表示手段と、
前記第１の表示手段よりも視野方向で奥側に表示面が位置する第２の表示手段と、
静止画撮影を行うタイミングを指示する入力手段と、
前記第１の表示手段に動画を表示する手段と、
前記第１の表示手段による動画表示を止めることなく、前記入力手段により静止画撮影が指示されたとき、前記第２の表示手段に該撮影した静止画を表示する手段と、
前記第２の表示手段に静止画を表示することに応じて前記第１の表示手段による動画表示の輝度を下げる輝度調整手段とを備えることを特徴とする映像記録再生装置。
【請求項３】
前記第１の表示手段は接眼レンズを備えた電子ビューファインダであることを特徴とする請求項請求項１又は２に記載の映像記録再生装置。
【請求項４】
動画撮影及び静止画撮影を同時に実行可能とした映像記録再生装置であって、
第１の表示手段としての電子ビューファインダと、
前記電子ビューファインダよりも視野方向で奥側に表示面が位置する第２の表示手段と、
静止画撮影を行うタイミングを指示する入力手段と、
前記電子ビューファインダに動画を表示する手段と、
前記電子ビューファインダによる動画表示を止めることなく、前記入力手段により静止画撮影が指示されたとき、前記第２の表示手段に該撮影した静止画を表示する手段と、
前記第２の表示手段による表示面の位置に対して、前記電子ビューファインダの接眼レンズを通じて見える虚像の位置を調整することのできる調整手段とを備えることを特徴とする映像記録再生装置。
【請求項５】
前記電子ビューファインダと前記第２の表示手段との距離が明視距離以上離れていることを特徴とする請求項４に記載の映像記録再生装置。
【請求項６】
第２の表示手段は映像記録再生装置本体に回動可能に取り付けられた表示パネルであることを特徴とする請求項１〜５のいずれか１項に記載の映像記録再生装置。
【請求項７】
前記第２の表示手段に静止画が表示された後、予め設定した時間経過後、又は、所定の操作が行われたときに、別途設定した表示形態に変更する手段を備えることを特徴とする請求項１〜６のいずれか１項に記載の映像記録再生装置。
【請求項８】
第１の表示手段と、
前記第１の表示手段よりも視野方向で奥側に表示面が位置する第２の表示手段と、
静止画撮影を行うタイミングを指示する入力手段とを備え、
動画撮影及び静止画撮影を同時に実行可能とした映像記録再生装置の制御方法であって、
前記第１の表示手段に動画を表示し、前記第１の表示手段による動画表示を止めることなく、前記入力手段により静止画撮影が指示されたとき、前記第２の表示手段に該撮影した静止画を表示した状態で、前記第２の表示手段による静止画をオフセット表示する手順を有することを特徴とする映像記録再生装置の制御方法。
【請求項９】
第１の表示手段と、
前記第１の表示手段よりも視野方向で奥側に表示面が位置する第２の表示手段と、
静止画撮影を行うタイミングを指示する入力手段とを備え、
動画撮影及び静止画撮影を同時に実行可能とした映像記録再生装置の制御方法であって、
前記第１の表示手段に動画を表示し、前記第１の表示手段による動画表示を止めることなく、前記入力手段により静止画撮影が指示されたとき、前記第２の表示手段に該撮影した静止画を表示した状態で、前記第１の表示手段による動画表示の輝度を下げる手順を有することを特徴とする映像記録再生装置の制御方法。
【請求項１０】
第１の表示手段と、
前記第１の表示手段よりも視野方向で奥側に表示面が位置する第２の表示手段と、
静止画撮影を行うタイミングを指示する入力手段とを備え、
動画撮影及び静止画撮影を同時に実行可能とした映像記録再生装置を制御するためのコンピュータプログラムであって、
前記第１の表示手段に動画を表示する処理と、
前記第１の表示手段による動画表示を止めることなく、前記入力手段により静止画撮影が指示されたとき、前記第２の表示手段に該撮影した静止画を表示する処理と、
前記第２の表示手段による静止画をオフセット表示する処理とをコンピュータに実行させることを特徴とするコンピュータプログラム。
【請求項１１】
第１の表示手段と、
前記第１の表示手段よりも視野方向で奥側に表示面が位置する第２の表示手段と、
静止画撮影を行うタイミングを指示する入力手段とを備え、
動画撮影及び静止画撮影を同時に実行可能とした映像記録再生装置を制御するためのコンピュータプログラムであって、
前記第１の表示手段に動画を表示する処理と、
前記第１の表示手段による動画表示を止めることなく、前記入力手段により静止画撮影が指示されたとき、前記第２の表示手段に該撮影した静止画を表示する処理と、
前記第１の表示手段による動画表示の輝度を下げる処理とをコンピュータに実行させることを特徴とするコンピュータプログラム。
【発明の詳細な説明】
【技術分野】
【０００１】
本発明は、動画撮影中の静止画撮影画像確認機能を有する映像記録再生装置、その制御方法、及びコンピュータプログラムに関する。
【背景技術】
【０００２】
従来のデジタルビデオカメラ等においては、電子ビューファインダ（ＥＶＦ：Electrical View Finder）とカメラ本体に対して回動可能な液晶表示パネルとを備えているものが多い。
【０００３】
液晶表示パネルは、その画面の大きさゆえ、両目で映像を確認しながら撮影を行うことができ、高い位置や低い位置、手を伸ばしての撮影等、必ずしも目の前にデジタルビデオカメラを構えなくとも各種アングルを変えて撮影が行うことができるといった利点があり、一般的に広く使われている。一方で、ＥＶＦは、晴天下等で液晶表示パネルでは光が差し込んで見え難い場合等に、アイカップのあるＥＶＦを覗き込むことで、撮影対象の映像を確認しながら撮影を行うように利用されている。
【０００４】
昨今のデジタルビデオカメラでは、液晶表示パネルをカメラ本体に閉じた状態では、ＥＶＦに映像が表示され、液晶表示パネルをカメラ本体から開いた状態では、液晶表示パネルに映像が表示されると共にＥＶＦへの表示が行われなくなる仕様のものが多い。ただし、対面撮影モード等、液晶表示パネルが撮像方向、被撮影者の方向に向いたときには、液晶表示パネル及びＥＶＦの両方に映像が表示される仕様となっているものもある。
【０００５】
ところで、デジタルビデオカメラは元々動画撮影用の機器であるが、現在では静止画撮影を行うことができる機種も多い。逆に、デジタルスチルカメラでも、静止画撮影だけでなく動画撮影を行うことのできる機種もある。また、動画撮影中に静止画撮影を同時に行うことのできる機種も存在する。
【０００６】
しかしながら、動画撮影中に静止画撮影を行い記録する場合、撮影した各画像をユーザが見易い状態で表示することは大変難しい。この問題を解決するために、例えば特許文献１には、２つの表示装置を用いて動画表示を中断することなく、撮影された静止画を確認する方法が開示されている。
【０００７】
【特許文献１】特開平１０−３２７３４号公報
【発明の開示】
【発明が解決しようとする課題】
【０００８】
例えばデジタルビデオカメラによる静止画撮影時には、デジタルスチルカメラと同じように、液晶表示パネル又はＥＶＦで撮影対象物を動画で見ながら、任意のタイミングでシャッターボタンを押すことで静止画撮影を行う。
【０００９】
また、動画撮影中に静止画撮影可能なデジタルビデオカメラ等では、動画撮影中に撮影した静止画を確認するためには、表示中の動画表示を中断して、一時的に静止画を表示するか、動画表示の一部分にピクチャ・イン・ピクチャ等によって静止画を表示する方法が採用されている。しかしながら、このような表示形態では、動画及び静止画の両方を目視する上で十分とはいえない。
【００１０】
そこで、ＥＶＦ及び液晶表示パネルを共に表示状態にし、一方に動画、他方に静止画を表示することに想到しうるが、近年の筐体の急速な小型化の流れ等もあり、ＥＶＦ及び液晶表示パネルの両方を監視することが難しい構造となってきている。すなわち、ＥＶＦを覗いた状態で見ると、液晶表示パネルまでの距離が近すぎて、明視距離とならないことがある等の問題が生じるケースがあった。
【００１１】
仮に大きな筐体で、液晶表示パネルまでの距離があり、明視距離となって目視が可能であったとしても、ＥＶＦを覗きながら他方の目で液晶表示パネルを見ると、２つの映像が重なる等して、特に液晶表示パネル側の重なった部分を明瞭に見ることが困難であった。
【００１２】
本発明は上記のような点に鑑みてなされたものであり、動画撮影中の静止画撮影の撮影結果である静止画の見辛さ改善し、動画及び静止画の両方を同時に確認可能とすることを目的とする。
【課題を解決するための手段】
【００１３】
本発明による映像記録再生装置は、動画撮影及び静止画撮影を同時に実行可能とした映像記録再生装置であって、第１の表示手段と、前記第１の表示手段よりも視野方向で奥側に表示面が位置する第２の表示手段と、静止画撮影を行うタイミングを指示する入力手段と、前記第１の表示手段に動画を表示する手段と、前記第１の表示手段による動画表示を止めることなく、前記入力手段により静止画撮影が指示されたとき、前記第２の表示手段に該撮影した静止画を表示する手段と、前記第２の表示手段による静止画をオフセット表示するオフセット表示手段とを備える点に特徴を有する。
本発明による他の映像記録再生装置は、動画撮影及び静止画撮影を同時に実行可能とした映像記録再生装置であって、第１の表示手段と、前記第１の表示手段よりも視野方向で奥側に表示面が位置する第２の表示手段と、静止画撮影を行うタイミングを指示する入力手段と、前記第１の表示手段に動画を表示する手段と、前記第１の表示手段による動画表示を止めることなく、前記入力手段により静止画撮影が指示されたとき、前記第２の表示手段に該撮影した静止画を表示する手段と、前記第２の表示手段に静止画を表示することに応じて前記第１の表示手段による動画表示の輝度を下げる輝度調整手段とを備える点に特徴を有する。
本発明による他の映像記録再生装置は、動画撮影及び静止画撮影を同時に実行可能とした映像記録再生装置であって、第１の表示手段としての電子ビューファインダと、前記電子ビューファインダよりも視野方向で奥側に表示面が位置する第２の表示手段と、静止画撮影を行うタイミングを指示する入力手段と、前記電子ビューファインダに動画を表示する手段と、前記電子ビューファインダによる動画表示を止めることなく、前記入力手段により静止画撮影が指示されたとき、前記第２の表示手段に該撮影した静止画を表示する手段と、前記第２の表示手段による表示面の位置に対して、前記電子ビューファインダの接眼レンズを通じて見える虚像の位置を調整することのできる調整手段とを備える点に特徴を有する。
本発明による映像記録再生装置の制御方法は、第１の表示手段と、前記第１の表示手段よりも視野方向で奥側に表示面が位置する第２の表示手段と、静止画撮影を行うタイミングを指示する入力手段とを備え、動画撮影及び静止画撮影を同時に実行可能とした映像記録再生装置の制御方法であって、前記第１の表示手段に動画を表示し、前記第１の表示手段による動画表示を止めることなく、前記入力手段により静止画撮影が指示されたとき、前記第２の表示手段に該撮影した静止画を表示した状態で、前記第２の表示手段による静止画をオフセット表示する手順を有する点に特徴を有する。
本発明による他の映像記録再生装置の制御方法は、第１の表示手段と、前記第１の表示手段よりも視野方向で奥側に表示面が位置する第２の表示手段と、静止画撮影を行うタイミングを指示する入力手段とを備え、動画撮影及び静止画撮影を同時に実行可能とした映像記録再生装置の制御方法であって、前記第１の表示手段に動画を表示し、前記第１の表示手段による動画表示を止めることなく、前記入力手段により静止画撮影が指示されたとき、前記第２の表示手段に該撮影した静止画を表示した状態で、前記第１の表示手段による動画表示の輝度を下げる手順を有する点に特徴を有する。
本発明によるコンピュータプログラムは、第１の表示手段と、前記第１の表示手段よりも視野方向で奥側に表示面が位置する第２の表示手段と、静止画撮影を行うタイミングを指示する入力手段とを備え、動画撮影及び静止画撮影を同時に実行可能とした映像記録再生装置を制御するためのコンピュータプログラムであって、前記第１の表示手段に動画を表示する処理と、前記第１の表示手段による動画表示を止めることなく、前記入力手段により静止画撮影が指示されたとき、前記第２の表示手段に該撮影した静止画を表示する処理と、前記第２の表示手段による静止画をオフセット表示する処理とをコンピュータに実行させる点に特徴を有する。
本発明による他のコンピュータプログラムは、第１の表示手段と、前記第１の表示手段よりも視野方向で奥側に表示面が位置する第２の表示手段と、静止画撮影を行うタイミングを指示する入力手段とを備え、動画撮影及び静止画撮影を同時に実行可能とした映像記録再生装置を制御するためのコンピュータプログラムであって、前記第１の表示手段に動画を表示する処理と、前記第１の表示手段による動画表示を止めることなく、前記入力手段により静止画撮影が指示されたとき、前記第２の表示手段に該撮影した静止画を表示する処理と、前記第１の表示手段による動画表示の輝度を下げる処理とをコンピュータに実行させる点に特徴を有する。
【発明の効果】
【００１４】
本発明によれば、動画撮影及び静止画撮影を同時に実行可能とした映像記録再生装置において、第２の表示手段（例えば液晶表示パネル）側をオフセット表示することで、表示の重なり部分を回避したり、第１の表示手段（例えばＥＶＦ）側の輝度を下げることで、静止画側の視認性を上げたりすることができるので、撮影中の動画表示を中断せずに、静止画撮影の撮影結果である静止画の見辛さ改善し、動画及び静止画の両方を同時に確認することができる。
【発明を実施するための最良の形態】
【００１５】
以下、添付図面を参照して、本発明の好適な実施形態について説明する。
図１に本発明を適用した映像記録再生装置の例であるデジタルビデオカメラの概略構成を示す。また、図２にはデジタルビデオカメラの外観を、図３にはデジタルビデオカメラの使用形態をそれぞれ示す。
【００１６】
図１において、１０１はレンズ部であり、不図示の被写体を撮像するためのズーム機能、フォーカス調整機能付きレンズ群及びレンズ機構である。１０２はＣＣＤ（Charge Coupled Device）であり、レンズ部１０１で構成される光学系よる結像を撮像する撮像素子である。
【００１７】
１０３は撮像素子駆動部であり、カメラ信号処理部１０６からのタイミングに従ってＣＣＤ１０２を駆動する。１０４はＣＤＳ（Correlated Double Sampling）／ＡＧＣ（Auto Gain Controller）部であり、ＣＣＤ１０２からのアナログ信号をサンプリングすると共に、システム制御部１０９からの制御により、信号レベルのゲインコントロールを行う。
【００１８】
１０５はＡ／Ｄ（Analog to Digital）変換器であり、前段からのアナログ信号をデジタル信号に変換する。１０６はカメラ信号処理部であり、タイミング生成や、ＡＥ（Auto Exposure）制御、ＡＦ（Auto Focus）制御等、システム制御部１０９と連携して、カメラ撮像系の制御を担う。
【００１９】
１０７はレンズ駆動部であり、レンズ部１０１を駆動して、ズーム倍率やピント調整を行う。オートフォーカス時には、フォーカス調整情報をカメラ信号処理部１０６で検出して、その検出した情報に基づいてシステム制御部１０９からの制御信号によりレンズ駆動部１０７が駆動して、レンズ部１０１を制御してピント調整を行う。マニュアルフォーカス時には、入力操作部１１４に属する一般的にはレンズの外周に設けられたマニュアルフォーカスリング２０７（図２を参照）をユーザが調整し、電子的な機構ではマニュアルフォーカスリング２０７の回転方向及び回転量をシステム制御部１０９が検出し、その検出した情報に基づいてレンズ駆動部１０７が駆動して、レンズ部１０１を制御してピント調整を行う。機械的な機構では、マニュアルフォーカスリング２０７が機械的にレンズ部１０１と繋がっており、マニュアルフォーカスリング２０７をユーザが回すことで、機械的にレンズ部１０１が動かされピント調整が行われる。
【００２０】
１０８はマイクであり、撮像系を経て入ってきた映像と合わせて周囲の音を記録するために集音する。
【００２１】
１０９はシステム制御部であり、デジタルビデオカメラの制御に関る各種制御手順を実行する。
【００２２】
１１０はメモリ制御部であり、汎用記憶部１１１へのアクセスを制御する。１１１は汎用記憶部であり、映像信号処理のバッファであると共に、本発明の各種制御手段を実現するためのプログラム及びデータ等を格納し、制御実行のために必要に応じて作業領域としても使用するＲＯＭやＲＡＭを総称している。
【００２３】
１１２は外部記録媒体接続インタフェースであり、ここではメモリカードのスロットとする。１１３は外部記録媒体であり、ここではメモリカードとする。通常、このメモリカードに対して静止画撮影時にはjpegファイルを保存する。
【００２４】
１１４は入力操作部であり、撮影スタート／ストップボタン、選択ボタンや決定ボタン、静止画撮影用のシャッターボタン、マニュアルフォーカスリング等を含む。１１５は計時部であり、リアルタイムクロック（ＲＴＣ）とバックアップ電池を備え、日時をカウントしており、システム制御部１０９からの要求に応じて日時情報を返信する。
【００２５】
１１６はビデオ制御部であり、第１の表示部１１８、第２の表示部１１９、ライン出力部１２０への出力制御、及び、テープ記録／再生部１１７の制御を行う。１１７はテープ記録／再生部であり、ビデオ制御部１１６により映像フォーマット（例えば、ＳＤモードではＤＶフォーマット、ＨＤモードではＨＤＶフォーマット等のテープ記録フォーマット）にエンコードされた映像信号をテープに記録又はテープから再生する。
【００２６】
１１８は第１の表示部であり、電子ビューファインダ（以下、「ＥＶＦ：Electrical View Finder」と称する）である。テープ記録／再生部１１７で記録する際には撮像系からの入力映像が表示され、再生する際にはテープに記録されている映像がデコードされた後に表示される。また、操作部１１４からのユーザによる入力操作情報や外部記録媒体１１３内の任意の画像情報等が表示される。ここでのＥＶＦ１１８には、図３の接眼レンズ３０２、ＬＣＤ３０３、図２の視度調整スライダ２０３が含まれるものとする。
【００２７】
１１９は第２の表示部であり、液晶表示パネルである。テープ記録／再生部１１７で記録する際には撮像系からの入力映像が表示され、再生する際にはテープに記録されている映像がデコードされた後に表示される。また、操作部１１４からのユーザによる入力操作情報や外部記録媒体１１３内の任意の画像情報等が表示される。
【００２８】
１２０はライン出力部であり、アナログコンポーネント映像出力、Ｓ端子出力、コンポジット映像出力等のインタフェースであって、外部テレビモニタ等に接続して、本デジタルビデオカメラからの映像出力をテレビ画面に表示する。
【００２９】
図２において、２０１はカメラ本体であり、レンズ光学系２０６や、記録再生用のテープカセットを装脱着可能とした不図示の映像記録／再生部や、ＥＶＦ２０２、各種機能スイッチ２０３（視度調整スライダ）、２０４（スタート／ストップボタン）、２０５（ズームスイッチ）、２１０（シャッターボタン）、３１１（操作ボタン）等を備え、液晶表示パネル２０８が回動ヒンジ２０９によりカメラ本体２０１に取り付けられている。電源のバッテリはカメラ本体２０１に内蔵しているものとする。
【００３０】
２０２はＥＶＦであり、レンズ光学系２０６より入力される映像を表示したり、不図示のテープへの映像記録／再生部から再生される映像等を表示したりする。また、各種機能スイッチ２０４、２０５、２１０、２１１等による制御に関する表示を行う。
【００３１】
２０３は視度調整スライダであり、ＥＶＦ２０２を覗いたときにユーザが見易いように接眼レンズを前後して、ＥＶＦ２０２の明視距離を調整するためのものである。
【００３２】
２０４はスタート／ストップボタンである。ボタン２０４の外周はモードダイヤルとなっており、ＯＦＦ、カメラ撮影モード、テープ再生モード等、カメラの動作モードを回転させることで切り替えられる。通常の使用では、モードダイヤルを回転させてカメラモードにした後に、スタート／ストップボタン２０４を１度押すと撮影開始、再び押すと撮影スタンバイ、また再び押せば、再び撮影開始といったように、トグル動作する。
【００３３】
２０５はズームスイッチであり、シーソースイッチとなっており、前端、後端を押すことで、画角を望遠側に調整したり、ワイド側に調整したりすることが可能である。
【００３４】
２０６はレンズ光学系であり、ズーム調整やピント調整を行い、被写体からの映像を本体２０１内部のＣＣＤに結像させる。
【００３５】
２０７はマニュアルフォーカスリングであり、マニュアルフォーカスモードに切り替えられると、本リング２０７を円周方向に回すことで、ピント調整をユーザがマニュアルで行うことができる。
【００３６】
２０８は液晶表示パネルであり、レンズ光学系２０６より入力される映像を表示したり、不図示のテープへの映像記録／再生部から再生される映像等を表示したりする。また、各種機能スイッチ２０４、２０５、２１０、２１１等による制御に関する表示を行う。
【００３７】
２０９はヒンジであり、液晶表示パネル２０８とカメラ本体２０１とをつなぎ、Ｘ軸及びＹ軸をそれぞれ回転軸として液晶表示パネル２０８を回動させることができる。例えば撮影者がデジタルビデオカメラを高い位置に持ち上げて撮影する際には画面を下方向に、低い位置に保持して撮影する際には画面を上向きにする等して、撮影者が見易い角度に液晶表示パネル２０８を調整することが可能である。また、機能的には回動ヒンジ２０９により液晶表示パネル２０８を動かしても、カメラ本体２０１内部と液晶表示パネル２０８を接続する電気信号配線（不図示）は、絡んだり引っ張られたりすることのない構造となっている。
【００３８】
２１０はシャッターボタンであり、撮影スタンバイ状態で押すと静止画をテープ上に数秒間、動画と同じ扱いで記録したり、動画撮影中に静止画撮影する場合に押すと外部記録媒体１１３であるメモリカードにjpegファイルとして記録したりする。
【００３９】
２１１は操作ボタンであり、各種モード設定やテープ再生モードのときの再生ボタン等に使われる。
【００４０】
２１２はライン出力コネクタであり、外部テレビモニタ（不図示）にコンポジットケーブルやＳ端子ケーブルで接続することで、本機からの映像信号を出力し、外部テレビモニタに表示する。
【００４１】
図１、２に示したデジタルビデオカメラにおいて、動画撮影中に静止画撮影を行うときのＥＶＦ２０２及び液晶表示パネル２０８への表示に関して、本発明の趣旨に従って説明する。
【００４２】
図３において、３０１は操作者の右目である。３０２は接眼レンズであり、ＥＶＦ２０２の中に組み込まれている。液晶ディスプレイ３０３に表示される映像が明視距離になるように、光軸方向に視度調整スライダ２０３を動かして接眼レンズ３０２を調整する。３０３はＬＣＤ（液晶ディスプレイ）であり、ＥＶＦ２０２内に組み込まれており、動画撮影のための映像を表示する。３０４はＥＶＦ２０２で作り出されるＬＣＤ３０３の映像の虚像である。ここでは、ＬＣＤ３０３と接眼レンズ３０２との距離が、接眼レンズ３０２の焦点距離内に位置しているものとする。
【００４３】
３０５は操作者の左目である。３０６は視線であり、右目３０１から液晶表示パネル２０８の表示面を見ようとした場合をイメージしている。当然ながら、図からも明らかなように、ＥＶＦ２０２を覗き込んでいる右目３０１からは、液晶表示パネル２０８の表示面は見えない。
【００４４】
以下、図４を参照して、本実施形態のデジタルビデオカメラにおける表示例を説明する。図４（ａ）は、比較のために、本発明を適用しない場合の表示例を示す。４０１は右目３０１でＥＶＦ２０２を覗いた映像であり、ＥＶＦ２０２内のＬＣＤ３０３が映し出す映像を接眼レンズ３０２を通じて見たものである。結果として虚像３０４を見ていることになる。ここでは、撮影被写体の映像がレンズ２０６を通じて入ってきてテープに記録中の動画が表示されている。
【００４５】
４０２は左目３０５で液晶表示パネル２０８の表示面を見た映像である。ここでは、シャッターボタン２１０が押された後の表示であり、撮影された静止画が液晶表示パネル２０８の表示面の全面に表示されている。
【００４６】
ここで分かるように、近接した２つの表示部（ＥＶＦ２０２、液晶表示パネル２０８）を左右の目でそれぞれ見た場合、すなわち、右目３０１でＥＶＦ２０２を覗きながら、左目３０５で液晶表示パネル２０８を見ると、２つの映像が重なり、特に液晶表示パネル２０８側の重なった部分を明瞭に見ることが困難であった。
【００４７】
（オフセット表示対策）
それに対して、図４（ｂ）は、本発明を適用した場合の表示例であり、オフセット表示対策を行ったものである。４１１は映像４０１と同様に右目３０１でＥＶＦ２０２を覗いた映像で、動画が表示されている。
【００４８】
４１２は左目３０５で液晶表示パネル２０８の表示面を見た映像である。ここでは、シャッターボタン２１０が押された後の表示であるが、映像４０２と異なるのは、撮影された静止画４１２が液晶表示パネル２０８の表示面の全面ではなく、ＥＶＦ２０２の動画４１１を避けるようにアスペクト比はそのままにオフセット表示されている点である。
【００４９】
これにより、左右の目で見た映像における重なり部分をなくし、動画及び撮影した静止画全体を同時に見ることが可能となる。
【００５０】
なお、４１３はバックグラウンドカラー表示であり、映像４１２のようにオフセット表示した結果、撮影静止画が縮小表示されることになるので、空いた背景を塗りつぶしている。もちろん、バックグラウンドカラー表示４１３の色は任意の色で構わない。
【００５１】
（ゲイン調整対策）
また、図４（ｃ）は、本発明を適用した場合の表示例であり、ゲイン調整対策を行ったものである。４２１は映像４０１、４１１と同様に右目３０１でＥＶＦ２０２を覗いた映像で、動画が表示されている。
【００５２】
ここでは、図４（ｂ）に示したように、映像（静止画）４１２をオフセット表示して左右の目で見た映像による重なり部分を無くすのではなく、静止画を表示したときに動画側の輝度を下げる（暗くする）ことで、重なり部分の静止画の視認性を上げたものである。この手法では重なり部分を無くすことはできないが、静止画の表示解像度変換処理等を行わずに、ＥＶＦ２０２を覗き込んでいる右目３０１からの映像情報の強さを弱めることで、結果として、左目３０５で見ている液晶表示パネル２０８の表示面に表示されている映像４２２の重なり部分の認識性を向上させている。
【００５３】
４２２は左目３０５で液晶表示パネル２０８の表示面を見た映像である。ここでは、シャッターボタン２１０が押された後の表示であり、表示上は映像４０２と同じである。
【００５４】
以上述べたように、本実施形態のデジタルビデオカメラによれば、近接したＥＶＦ２０２と液晶表示パネル２０８とを両目で見た場合に、液晶表示パネル２０８側をオフセット表示することで、表示の重なり部分を回避したり、ＥＶＦ２０２側の表示の明るさを下げることで、静止画の視認性を上げたりすることができるので、撮影中の動画表示を中断せずに、静止画撮影の撮影結果である静止画の見辛さ改善し、動画及び静止画の両方を同時に確認することができる。
【００５５】
（第２の実施形態）
第２の実施形態は、上記第１の実施形態のように表示の重なり部分に関する配慮だけではなく、液晶表示パネルへの表示内容の制御にも特徴を持たせたものである。
【００５６】
表１は、動画撮影中に静止画撮影を行うときの各状態とＥＶＦ２０２／液晶表示パネル２０８／ライン出力２１２（外部テレビモニタ）における表示状態との例を示す。
【００５７】
【表１】
2007060436.tif 000003
【００５８】
５−１は撮影スタンバイ状態であって、ＥＶＦ２０２、液晶表示パネル２０８、ライン出力コネクタ２１２（外部テレビモニタ）への表示が全て「動画」である。
【００５９】
５−２は撮影スタート状態であって、スタート／ストップボタン２０４が押されることで、動画撮影記録が開始される。このときも、ＥＶＦ２０２、液晶表示パネル２０８、ライン出力コネクタ２１２（外部テレビモニタ）への表示が全て「動画」である。
【００６０】
５−３は動画撮影中状態であって、このときも、ＥＶＦ２０２、液晶表示パネル２０８、ライン出力コネクタ２１２（外部テレビモニタ）への表示が全て「動画」である。
【００６１】
５−４はシャッターボタン２１０が押されて、静止画撮影が指示された状態であって、ＥＶＦ２０２には「動画」が継続して表示され、液晶表示パネル２０８には「静止画」が表示される。また、ライン出力２１２には「動画、又は静止画、又は動画及び静止画」の表示を選択して表示できるものとしている。ライン出力２１２への表示選択は、別途、ユーザが操作ボタン２１１を操作することによりメニュー選択して決定するものとする。これにより、動画撮影を継続してＥＶＦ２０２で「動画」を確認しつつ、撮影した「静止画」を液晶表示パネル２０８に表示して、撮影静止画を確認することができる。ライン出力２１２については、ユーザの使用目的に合わせて、出力表示形態を適宜選択することができる。
【００６２】
５−５は動画撮影継続状態であって、ＥＶＦ２０２には引き続き「動画」が表示され、液晶表示パネル２０８では「静止画」表示から「動画」表示に切り替わるものとする。切り替わりのタイミングは、別途、時間設定を行い、５−４で静止画撮影されて「静止画」表示になった後、該設定時間経過後に「動画」表示に切り替わる。また、ライン出力２１２には「動画、又は静止画、又は動画及び静止画」の表示を選択して表示できるものとしている。ライン出力２１２への表示選択は、別途、ユーザが操作ボタン２１１を操作することによりメニュー選択して決定するものとする。これにより、動画撮影を継続してＥＶＦ２０２で「動画」を確認しつつ、液晶表示パネル２０８には撮影した「静止画」を一定時間表示した後「動画」に切り替えて、ＥＶＦ２０２を見ることでも液晶表示パネル２０８を見ることでも動画撮影を継続して行うことができるようにする。ライン出力２１２については、ユーザの使用目的に合わせて、出力表示形態を適宜選択することができる。
【００６３】
５−６はシャッター連写状態、すなわちシャッターボタン２１０が継続して押されて、静止画を連続撮影している状態であって、ＥＶＦ２０２には「動画」が継続して表示され、液晶表示パネル２０８には撮影された静止画が次々と切り替わりながら、１枚ずつの「静止画」として表示される。又は、連続して撮影された静止画を１枚ずつ切り替えるのではなく、「サムネイル」表示としてサムネイル一覧表示に追加表示することもできる。また、ライン出力２１２には「動画、又は静止画、又は静止画のサムネイル、又は動画及び静止画」の表示を選択して表示できるものとしている。ライン出力２１２への表示選択は、別途、ユーザが操作ボタン２１１を操作することによりメニュー選択して決定するものとする。これにより、動画撮影を継続してＥＶＦ２０２で「動画」を確認しつつ、撮影した「静止画」又は「静止画のサムネイル」表示を液晶表示パネル２０８に表示して、撮影画像を確認することができる。ライン出力２１２については、ユーザの使用目的に合わせて、出力表示形態を適宜選択することができる。
【００６４】
５−７は動画撮影継続状態であって、ＥＶＦ２０２には引き続き「動画」が表示され、液晶表示パネル２０８では「静止画」又は「サムネイル」表示から「動画」表示に切り替わるものとする。切り替わりのタイミングは、別途、時間設定を行い、５−６で静止画撮影された最後の「静止画」又は「サムネイル」表示になった後、該設定時間経過後に「動画」表示に切り替わる。また、ライン出力２１２には「動画、又は静止画、又はサムネイル、又は動画及び静止画」の表示を選択して表示できるものとしている。ライン出力２１２への表示選択は、別途、ユーザが操作ボタン２１１を操作することによりメニュー選択して決定するものとする。これにより、動画撮影を継続してＥＶＦ２０２で「動画」を確認しつつ、液晶表示パネル２０８には撮影した最後の「静止画」又は「サムネイル」表示を一定時間表示した後「動画」に切り替えて、ＥＶＦ２０２を見ることでも液晶表示パネル２０８を見ることでも動画撮影を継続して行うことができるようにする。ライン出力２１２については、ユーザの使用目的に合わせて、出力表示形態を適宜選択することができる。
【００６５】
５−８は撮影ストップ状態であって、５−１と同様に、ＥＶＦ２０２及び液晶表示パネル２０８には「動画」が表示されているが、動画記録はスタンバイ状態となっている。ライン出力２１２については、ユーザの使用目的に合わせて、出力表示形態を適宜選択することができる。
【００６６】
以上述べたように、本実施形態のデジタルビデオカメラによれば、上記第１の実施形態で説明したように、表示の重なり部分を回避したり、静止画側の視認性を上げたりするだけでなく、連続して撮影する静止画においてはサムネイル表示にしたり、再び動画に切り替えたりすることで、撮影中の動画表示を中断せずに、動画と静止画確認の方法に幅を持たせ、ユーザの撮影形態に柔軟性を持たせることができる。
【００６７】
（第３の実施形態）
第３の実施形態は、上記第１の実施形態のように表示の重なり部分に関する配慮だけではなく、左右の目で見た表示映像までの（明視）距離を調整することに注目したものである。
【００６８】
図３に示したように、左目３０５では、液晶表示パネル２０８の表示面を直接見ているが、右目３０１では、ＥＶＦ２０２内の接眼レンズ３０２を通じてＬＣＤ３０３の虚像３０４を見ている。
【００６９】
ここで、液晶表示パネル２０８の表示面までの距離と虚像３０４までの距離とが異なると、左右の目における視度調整がずれるので、左右のそれぞれの映像を見るようにユーザが視線を切り替えた際に、目のピント調整をずれ量だけ行わねばならず、非常に見辛い状態となる。
【００７０】
この状況を改善するために、視度調整スライダ２０３をＥＶＦ２０２の光軸方向にスライドさせて調整することにより、虚像３０４までの距離を変化させて、液晶表示パネル２０８の表示面までの距離と同程度にする。
【００７１】
なお、ユーザごとに左右の目の視度差が存在するために、必ずしも液晶表示パネル２０８の表示面と虚像３０４との距離が一致するとは限らない。
【００７２】
以上述べたように、本実施形態のデジタルビデオカメラによれば、ＥＶＦ２０２側の視度調整を行い、液晶表示パネル２０８の表示面と、ＥＶＦ２０２による虚像３０４の表示面とを合わせる（調整する）ことで、それぞれの表示面の明視距離を合わせ、視認性の更なる改善を実現している。
【００７３】
一方、別の見方をすれば、上記の調整を行うには、実際の製品において、筐体の小型化等のために、ＥＶＦ２０２を覗いた状態で見ると液晶表示パネル２０８までの距離が近く、明視距離とならない等の問題が生じるケースを考慮する必要がある。その意味では、ＥＶＦ２０２の接眼レンズ３０２の手前から液晶表示パネル２０８の表示面との距離は、明視距離以上離れている必要があり、その距離以上を確保したデジタルビデオカメラの形態が有効である。
【００７４】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００７５】
この場合、記憶媒体から読み出されたプログラムコード自体が上述した実施形態の機能を実現することになり、プログラムコード自体及びそのプログラムコードを記憶した記憶媒体は本発明を構成することになる。
【００７６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７７】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００７８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００７９】
【図１】実施形態のデジタルビデオカメラの概略構成を示す図である。
【図２】実施形態のデジタルビデオカメラの外観を示す斜視図である。
【図３】実施形態のデジタルビデオカメラの使用形態を示す平面図である。
【図４】実施形態のデジタルビデオカメラにおける表示例を説明するための図である。
【符号の説明】
【００８０】
２０１      カメラ本体であり
２０２      ＥＶＦ
２０３      視度調整スライダ
２０４      スタート／ストップボタン
２０５      ズームスイッチ
２０６      レンズ光学系
２０７      マニュアルフォーカスリング
２０８      液晶表示パネル
２０９      ヒンジ
２１０      シャッターボタン
２１１      操作ボタン
２１２      ライン出力コネクタ
【図１】
2007060436.tif 000004
【図２】
2007060436.tif 000005
【図３】
2007060436.tif 000006
【図４】
2007060436.tif 000007